(57)【要約】  本発明は、適切な検査設備によって、シガレットの製造及び／又は梱包時に、検査すべき物体−検査オブジェクト−、特にシガレットパック１０、及び／又はシガレットパック１０用のブランク１４，２２、及び／又はシガレットパック１０上の若しくはシガレットパック１０用の刷り込み印刷及び／又は印刷基板を光学検査するための方法及び設備に関する。前記検査オブジェクト１０，１４，１８，２９，３０を、特に光学的な観点から特徴付ける少なくとも１つの特徴に対して、データ記憶装置内に格納された当該対応する特徴に対する一組の特徴値選択肢３１ａ〜ｃ；３２ａ〜ｂが、表示手段上に、例えばスクリーン上に表示される。一組の特徴値選択肢３１ａ〜ｃ；３２ａ〜ｂの表示された複数の特徴値のうちの１つの特徴値が、入力装置、例えばキーボード又は位置指示装置を用いて選択される。検査設備、特にこの検査設備の、評価装置及び／又は照明装置２６及び／又は適切な光検出器１１が、後続する検査工程のために自動的に適合又はプリセットされ、特徴値３１ａ，３２ａの選択が、検査設備の適合に影響する。検査オブジェクト１０，１４，１８，２９，３０が、当該適合された検査設備によって検査される。
2014527626.tif 000002
【特許請求の範囲】
【請求項１】
適切な検査設備によって、シガレットの製造及び／又は梱包時に、検査すべき物体−検査オブジェクト−、特にシガレットパック（１０）、及び／又はシガレットパック（１０）用のブランク（１４，２２）、及び／又はシガレットパック（１０）上の若しくはシガレットパック（１０）用の刷り込み印刷及び／又は印刷基板を光学検査するための方法において、
ａ）前記検査オブジェクト（１０，１４，１８，２９，３０）を、特に光学的な観点から特徴付ける少なくとも１つの特徴に対して、データ記憶装置内に格納された当該対応する特徴に対する一組の特徴値選択肢（３１ａ〜ｃ；３２ａ〜ｂ）が、表示手段上に、例えばスクリーン上に表示され、
ｂ）前記一組の特徴値選択肢（３１ａ〜ｃ；３２ａ〜ｂ）の表示された複数の特徴値のうちの１つの特徴値が、入力装置、例えばキーボード又は位置指示装置を用いて選択され、
ｃ）前記検査設備、特にこの検査設備の、評価装置及び／又は照明装置（２６）及び／又は適切な光検出器（１１）が、後続する検査工程のために自動的に適合又はプリセットされ、前記特徴値（３１ａ，３２ａ）の選択が、前記検査設備の適合に影響し、
ｄ）検査オブジェクト（１０，１４，１８，２９，３０）が、当該適合された検査設備によって検査されることを特徴とする方法。
【請求項２】
選択された前記特徴値（３１ａ；３２ａ）に応じて、又は−それぞれ１つの別の特徴に割り当てられた複数の特徴値を選択した場合には−様々な前記特徴の選択された複数の前記特徴値（３１ａ；３２ａ）に応じて、記憶装置内に格納された複数の検査方法（２７ａ〜ｄ；２８ａ〜ｃ）から、検査すべき前記検査オブジェクト（１０，１４，１８，２９，３０）に適した少なくとも１つの検査方法（２７ｃ；２８ａ）が、自動的に選択され、前記検査オブジェクト（１０，１４，１８，２９，３０）は、前記検査方法（２７ａ〜ｄ；２８ａ〜ｃ）を用いて前記検査設備によって検査され得ること、又は
これらの検査方法（２７ａ〜ｄ；２８ａ〜ｃ）のうちから、これらの検査方法（２７ａ〜ｄ；２８ａ〜ｃ）に応じて、検査すべき複数の前記検査オブジェクト（１０，１４，１８，２９，３０）に適した複数の検査方法が、前記表示手段上に選択可能に表示される結果、使用者が、表示された複数の前記検査方法のうちの１つ又は必要に応じて複数の検査方法を選択できることを特徴とする請求項１に記載の方法。
【請求項３】
前記検査オブジェクト（１０，１４，１８，２９，３０）の検査は、自動的に又は前記使用者によって選択された少なくとも１つの検査方法（２７ｃ；２８ａ）に応じて実施されることを特徴とする請求項２に記載の方法。
【請求項４】
前記検査方法は、検査アルゴリズムを有し、前記検査設備によって記録された前記検査オブジェクト（１０，１４，１８，２９，３０）の画像の評価が、前記検査オブジェクト（１０，１４，１８，２９，３０）の検査中に前記検査アルゴリズムによって実施されることを特徴とする請求項２又は３に記載の方法。
【請求項５】
前記検査オブジェクト（１０，１４，１８，２９，３０）の検査中に前記検査設備によって使用されるパラメータが、自動的に又は前記使用者によって選択された少なくとも１つの検査方法に応じて、前記検査設備用にデータ記憶装置内に格納された複数のパラメータから、予め選択され、前記検査設備に伝送されることを特徴とする請求項２，３又は４に記載の方法。
【請求項６】
前記検査オブジェクト（１０，１４，１８，２９，３０）の特に後の検査位置に配置された基準検査オブジェクトが、前記照明装置（２６）の光によって照らされ、当該照らされた基準検査オブジェクトの少なくとも１つの画像が記録され、当該記録された画像が評価され、当該記録された画像が、既定の基準に合致しないときに、当該記録された画像が、前記既定の基準に合致するまで、上記ステップが、前記照明装置（２６）の設定を変更することによって、特に前記照明装置（２６）の照明装置の光度を変更することによって繰り返されることによって、前記検査オブジェクト（１０，１４，１８，２９，３０）の検査中に前記照明装置（２６）又は前記評価装置又は前記光検出器（１１）によって使用される、前記照明装置（２６）及び／又は前記評価装置及び／又は前記光検出器（１１）用のパラメータが、予め自動的に決定されることを特徴とする請求項１〜５のいずれか１項に記載の方法。
【請求項７】
前記特徴値選択肢（３１ａ〜ｃ；３２ａ〜ｂ）は、英数字で及び／又は画像オブジェクトとして表示されることを特徴とする請求項１に記載の方法。
【請求項８】
前記検査オブジェクト（１０，１４，１８，２９，３０）は、前記表示装置上に画像で表示されること、前記検査オブジェクト（１０，１４，１８，２９，３０）が検査されなければならない少なくとも１つの領域（２０）が、前記入力装置によって選択され得、及び／又は、前記検査オブジェクト（１０，１４，１８，２９，３０）が検査されてはならない１つの領域が、前記入力装置によって選択され得ること、これらの選択された領域（１９，２０）が、前記表示装置上に光学的に強調されること、及び、当該選択された領域（２０）だけが、前記検査設備によって検査される、又は、当該選択されなかった残りの領域だけが、前記検査設備によって検査されることを特徴とする請求項１〜７のいずれか１項に記載の方法。
【請求項９】
前記検査オブジェクト（１０，１４，１８，２９，３０）はそれぞれ、パック上面（２９）上に配置された飾り帯（１４）を有するシガレットパック（１０）の前記パック上面（２９）であり、上面（２９ａ〜ｃ）上に配置された飾り帯（１４ａ〜ｃ）を有する複数の前記上面（２９ａ〜ｃ）の一組の様々な組み合わせ（３１ａ〜ｃ）が、一組の特徴値選択値として選択可能に表示されること、及び／又は、前記検査オブジェクト（１０，１４，１８，２９，３０）はそれぞれ、シガレットパック（１９）の底折り返し部（１８）を有するパック底面（３０）であり、底折り返し部（１８ａ〜ｂ）を有する底面（３０ａ〜ｂ）の一組の様々な組み合わせ（３０ａ〜ｂ）が、一組の特徴値選択値（３１ａ〜ｃ；３２ａ〜ｂ）として選択可能に表示されることを特徴とする請求項１〜８のいずれか１項に記載の方法。
【請求項１０】
特徴値選択肢（３１ａ〜ｃ；３２ａ〜ｂ）及び／又は選択可能な領域（１１）に関する情報から成るヘルプ表示（２１ａ〜ｄ）、例えば、ヘルプ画像及び／又はヘルプテキストが、特に前記入力装置を用いて適切な表示領域を選択した後に表示手段上に表示されることを特徴とする請求項１〜９のいずれか１項に記載の方法。
【請求項１１】
適切な検査設備によって、シガレットの製造及び／又は梱包時に、検査すべき物体−検査オブジェクト−、特にシガレットパック（１０）、及び／又はシガレットパック（１０）用のブランク（１４，２２）、及び／又はシガレットパック（１０）上の若しくはシガレットパック（１０）用の刷り込み印刷及び／又は印刷基板を光学検査するための、特に請求項１〜１０のいずれか１項に記載の方法において、
ａ）前記検査オブジェクト（１０，１４，１８，２９，３０）を、特に光学的な観点から特徴付ける特徴の特徴値が、入力装置を用いて、例えばキーボード又は位置指示装置を用いてデータ記憶装置内に格納され、及び／又は、当該特徴付けられた特徴の特徴値が、光電式の検査装置（１１）、基準検査オブジェクト及び／又は当該基準検査オブジェクト用のブランク（２２）の、特にカメラを用いて記録された少なくとも１つの画像を評価することによって少なくとも部分的に自動的に、特に全自動的に決定され、
ｂ）前記検査設備、特にこの検査設備の、評価装置及び／又は照明装置（２６）及び／又は適切な光検出器（１１）が、適合又はプリセットされ、当該格納及び／又は決定された前記特徴値が、前記検査設備の適合に影響し、
ｃ）前記検査オブジェクト（１０，１４，１８，２９，３０）が、当該適合された検査設備によって検査されることを特徴とする方法。
【請求項１２】
前記特徴値は、構成データ、特に、前記検査オブジェクト（１０，１４，１８，２９，３０）の構成データ及び／又は前記検査オブジェクト（１０，１４，１８，２９，３０）用の前記ブランク（２２）の構成データから成り、及び／又は前記検査オブジェクト（１０，１４，１８，２９，３０）及び／又は前記ブランク（２２）に配置された画像オブジェクト（２３ａ〜ｆ）及び／又は英数字に関するデータ、特に寸法及び／又は位置データから成ることを特徴とする請求項１１に記載の方法。
【請求項１３】
前記ブランク（２２）から折り返し可能な基準検査オブジェクトの、適切なアルゴリズムによって特に空間的に作用する画像−三次元画像−（２４ｂ）が、前記基準検査オブジェクト用の前記ブランク（２２）の前記構成データから、必要に応じてその他の特徴付ける特徴の構成データから決定されることを特徴とする請求項１２に記載の方法。
【請求項１４】
前記ブランク（２２）から折り返し可能な前記基準検査オブジェクトの当該決定された画像が、前記検査オブジェクト（１０，１４，１８，２９，３０）を後に検査するときに、基準画像として使用され、この基準画像は、その或る領域ごとに、前記検査設備によって記録された少なくとも１つの画像と比較されるか又はそれぞれの前記検査オブジェクト（１０，１４，１８，２９，３０）の部分画像と比較されることを特徴とする請求項１３に記載の方法。
【請求項１５】
補正パラメータが、前記基準画像（２４ｂ）の決定で考慮され、前記検査工程中に検出された前記検査オブジェクト（１０，１４，１８，２９，３０）の画像に対する前記検査設備の影響が、特に補正パラメータで考慮され、特に、前記検査設備の前記光電式の検査装置（１１）の光学機器の影響が考慮され、及び／又は前記光電式の検査装置（１１）の電子機器の影響が考慮されること、及び／又は
実際に製造された又は製造されるべき前記検査オブジェクト（１０，１４，１８，２９，３０）と仮想の、特に決定された又は計算された検査オブジェクト（１０，１４，１８，２９，３０）との予測可能なシステム上の偏差が、前記基準画像（２４ｂ）の決定において考慮されることを特徴とする請求項１４に記載の方法。
【請求項１６】
前記基準検査オブジェクト上に又は前記基準検査オブジェクト用の前記ブランク（２２）上に配置された画像オブジェクト（２３ａ〜ｆ）及び／又は英数字が、前記特徴付けられた特徴の特徴値を自動的に決定するときに又は部分的に自動的に決定するときに認識される請求項１１〜１５のいずれか１項に記載の方法。
【請求項１７】
前記基準検査オブジェクト用の前記ブランク（２２）の１つ又は複数の領域、特に前記基準検査オブジェクト用の前記ブランクに配置された画像オブジェクト（２３ｄ，ｅ）及び／又は英数字が、後続する前記検査オブジェクト（１０，１４，１８，２９，３０）の検査中に実施される前記検査オブジェクト（１０，１４，１８，２９，３０）と前記基準検査オブジェクトとの比較時に考慮されない又は無視されることを特徴とする請求項１４に記載の方法。
【請求項１８】
１つ又は複数の前記領域、特に前記基準検査オブジェクト用の前記ブランク（２２）に配置された画像オブジェクト（２３ｄ，ｅ）及び／又は英数字は、後続する前記検査オブジェクト（１０，１４，１８，２９，３０）の検査時に考慮されないものとして、前記入力装置を用いて手動で選択可能であることを特徴とする請求項１７に記載の方法。
【請求項１９】
シガレットの製造及び／又は梱包時に、検査すべき物体−検査オブジェクト−、特にシガレットパック（１０）、及び／又はシガレットパック（１０）用のブランク（２２）、及び／又はシガレットパック（１０）上の若しくはシガレットパック（１０）用の刷り込み印刷及び／又は印刷基板を光学検査する、特に請求項１に記載の方法を実施するための検査設備において、
ａ）特に光学的な観点から特徴付けられる特徴を成す少なくとも１つの前記検査オブジェクト（１０，１４，１８，２９，３０）に対して、データ記憶装置内に格納された当該対応する特徴に対する一組の特徴値選択肢（３１ａ〜ｃ；３２ａ〜ｂ）が、表示装置上で表示可能である当該表示装置と、
ｂ）当該表示された一組の特徴値選択肢（３１ａ〜ｃ；３２ａ〜ｂ）のうちの１つの特徴値が、入力装置によって選択可能である当該入力装置と、
ｃ）前記検査設備、特に、前記検査設備の評価装置及び／又は前記検査設備の照明装置（２６）及び／又は前記検査設備の適切な光検出器（１１）が、制御装置によって自動的に適合可能であり、前記特徴値の選択が、前記検査設備の適合に影響する当該制御装置とを特徴とする検査設備。
【請求項２０】
シガレットの製造及び／又は梱包時に、検査すべき物体−検査オブジェクト−、特にシガレットパック（１０）、及び／又はシガレットパック（１０）用のブランク（２２）、及び／又はシガレットパック（１０）上の若しくはシガレットパック（１０）用の刷り込み印刷及び／又は印刷基板を光学検査する、特に請求項１１に記載の方法を実施するための検査設備において、
ａ）前記検査オブジェクト（１０，１４，１８，２９，３０）を、特に光学的な観点から特徴付ける、検査すべき前記検査オブジェクト（１０，１４，１８，２９，３０）及び／又は前記検査オブジェクト（１０，１４，１８，２９，３０）用のブランク（２２）の特徴の特徴値が、入力装置によって、評価装置に割り当てられたデータ記憶装置内に格納可能である当該入力装置と、
ｂ）当該特徴値が、制御装置によって、基準画像オブジェクト及び／又は基準画像オブジェクト用のブランク（２２）の、光電式の検査装置（１１）を用いて記録された画像を評価することによって決定可能である当該制御装置とを特徴とし、
ｃ）前記検査設備、特に、前記検査設備の評価装置及び／又は前記検査設備の照明装置（２６）及び／又は前記検査設備の適切な光検出器（１１）が、前記制御装置によって適合可能であり、当該格納された及び／又は決定れた特徴値が、前記検査設備の適合に影響することを特徴とする検査設備。
【発明の詳細な説明】
【技術分野】
【０００１】
本発明は、適切な検査設備によって、シガレットの製造及び／又は梱包時に、検査すべき物体−検査オブジェクト−を光学検査するための方法及び設備に関する、特にシガレットパック、及び／又はシガレットパック用のブランク、及び／又はシガレットパック上の若しくはシガレットパック用の刷り込み印刷及び／又は印刷基板を光学検査するための方法及び設備に関する。さらに、本発明は、当該方法を実施するための設備に関する。
【背景技術】
【０００２】
シガレットパックが、生産工程中に適切な検査設備によって検査される。一般に、当該検査設備は、カメラを有する。当該カメラは、パックの画像を記録し、適切な方法によってパックの欠陥を認識する。当該シガレットの製造では、迅速に効率良く様々な製品に適合させる要求が増大している。例えば、異なる製品又は銘柄を１つの同じシガレット梱包機上で生産するためには、異なるシガレットパックを生産することが必要である。したがって、梱包機の個々の装置が、経費をかけて新たに生産すべきパックに適合される必要がある。同様なことは、上記の検査方法に対しても言える。
【０００３】
製品の交換時に呼び出し可能である梱包機の機械パラメータを、個々の製品又は銘柄に対して格納することが、従来の技術から公知である。基本的には、当該特徴値を特に検査設備のために格納することが考えられる。換言すれば、１つの銘柄を当該新たな銘柄に交換するときに、格納された特徴値が、その検査設備のために取り出される。しかしながら、１つの特定の銘柄が、１つの梱包機上で初めて生産されなければならないときは、この手続きは、もはや使用できない。この場合には、当該銘柄に対して格納された特徴値は、その時点では取り出され得ない。この場合には、当該検査設備は、再び経費をかけて「手動で」適合される必要がある。このため、相当なノウハウ及び多くの経験が、当該適合を実施する人に要求される。
【先行技術文献】
【特許文献】
【０００４】
【特許文献１】欧州特許第０６０５８３８号明細書
【特許文献２】欧州特許第０７７０５５１号明細書
【特許文献３】欧州特許第０５９６３８７号明細書
【発明の概要】
【発明が解決しようとする課題】
【０００５】
本発明の課題は、上記従来の技術から出発して、冒頭で述べた種類の方法及び設備を、特に製品を交換するときに検査設備を簡単に適合させることに関してさらに改良することにある。
【課題を解決するための手段】
【０００６】
この課題は、請求項１に記載の特徴を有する方法及び請求項１９に記載の特徴を有する設備によって解決される。
【０００７】
したがって、検査設備の適合動作中に、−一般には検査すべき検査オブジェクトの生産を開始する前に−特に光学的な観点からこの検査オブジェクトを特徴付ける少なくとも１つの特徴ごとに、データ記憶装置内に格納された当該対応する特徴に対する一組の特徴値選択肢が、検査設備の制御装置によって、表示手段上に、例えばスクリーン上で使用者に表示されることが提唱されている。
【０００８】
次いで、当該使用者は、入力装置、例えばキーボード又は位置指示装置を用いて当該一組の特徴値選択肢の表示された複数の特徴値のうちの１つの特徴値を選択する。
【０００９】
次いで、当該制御装置は、検査設備を自動的に適合する、又はこの検査設備を調整する。この場合、使用者による当該特徴値の選択は、この適合に影響する。最終的に、当該検査設備のこの適合は、当該選択された特徴値選択肢に直接又は間接に依存する。
【００１０】
本発明によれば、一般に、当該制御装置は、対応する複数の特徴値選択肢を伴うただ１つの特徴を使用者に示すのではなくて、当該検査オブジェクトを特徴付ける複数の特徴を使用者に示す。このとき、これらの特徴の各々に対して、独立した一組の特徴値選択肢が表示される。この場合には、当該適合は、１つの特徴の選択された特徴値だけに依存するのではなくて、複数の特徴の選択された複数又は全ての特徴値に依存する。
【００１１】
当該検査設備の適合が、制御装置によるものである場合、特に、検査設備の評価装置及び／又は検査設備の照明装置及び／又は例えば光電式の検査装置のような、検査設備の適切な光検出器が適切に適合され得る、一般に電子カメラが適切に適合され得る。
【００１２】
その後に、普通に初めて生産された当該検査オブジェクトは、こうして適合された検査設備によって公知の方法で検査される。一般に、当該検査オブジェクトの検査は、−必須ではないものの−当該検査オブジェクトの製造工程中に実施される。
【００１３】
例えば、シガレットパックが、適切な梱包機によって製造される間に、検査設備が、当該シガレットパックを検査する、例えば当該シガレットパック上に設置されている飾り帯を検査する。
【００１４】
一般に、使用者に表示され、複数の特徴のそれぞれの特徴値が、複数の特徴値選択肢のそれぞれのリストに基づいてその使用者によって決定される必要がある、当該検査オブジェクトを特徴付ける複数の特徴は、後続する検査設備の適合に影響する、又はこの検査設備を適合させるために重要である上記複数の特徴を有する。
【００１５】
好ましくは、これらの特徴は、検査設備の光検出器によって光学的に検出可能であり、一般に検査設備の評価装置によって適切な画像評価方法を用いて分析可能である。
【００１６】
例えば、初めて生産すべきシガレットパックを光学式に検査するときは、検査設備を検査すべきシガレットパックに配置された飾り帯に適合させることが重要になり得る。配置された飾り帯に直接又は間接に依存して、制御装置が、当該飾り帯に適合された検査設備のカメラの感度を調整する、又は当該飾り帯を照らす照明装置の照射強度を調整する、又は検査設備のその他の動作パラメータを調整する。
【００１７】
したがって、当該制御装置は、例えば、特徴値選択肢として、シガレットパックの上面と当該上面上に配置された飾り帯とから成る一組の様々な組み合わせを選択可能に、検査設備を適合させる使用者に表示する。別の例では、制御装置が、特徴値選択肢として、底面と底折り返し部とから成る一組の様々な組み合わせを選択可能に表示する。この場合、個々の選択肢の底面及び／又は底折り返し部は相違する。
【００１８】
したがって、当該個々の選択肢の飾り帯及び／又はパック上面若しくは底面及び／又は底折り返し部は、特に形若しくは外形において、特に当該縁輪郭において及び／又は当該色において及び／又は当該位置において又はその他の光学的な特徴において相違する。
【００１９】
したがって、複数の特徴値選択肢から成るそれぞれの組の表示された特徴値はそれぞれ、少なくとも１つの特徴値を有する。当該少なくとも１つの特徴値は、それぞれ新たに検査すべき検査オブジェクトを有する、対応する特徴値に相当する、又は当該対応する特徴値に非常に似ている。このとき、使用者は、当該対応する特徴値を選択できる。
【００２０】
本発明の特に好適な実施の形態では、検査設備の制御装置が、使用者によって選択された特徴値に応じて、データ記憶装置内に格納された（全ての）複数の検査方法から、検査すべき検査オブジェクトに適した少なくとも１つの検査方法を自動的に選択する。当該検査オブジェクトは、その検査方法を用いてその検査設備によって検査される。−上述したように−複数の様々な特徴のための特徴値が、使用者によって選択された場合、当該制御装置によるこの選択は、選択された複数の特徴値又は選択された特徴値の組み合わせに応じて実施される。
【００２１】
この代わりに、制御装置が、最初に、選択された１つの特徴値又は選択された複数の特徴値の組み合わせに応じて、格納された（全ての）複数の検査方法（だけ）から、当該選択された特徴又は当該選択された特徴値の組み合わせに適した検査方法を選択可能に表示手段上に表示して使用者に提示してもよい。次いで、この使用者は、当該制御装置によってこうして予め選択されて表示手段上に表示された複数の検査方法から、１つ又は複数の検査方法を選択できる。
【００２２】
制御装置によって直接に自動的に選択された検査方法に応じて、又は、使用者によって選択された検査方法に応じて、その後に、検査オブジェクトが検査される。
【００２３】
一般に、当該検査方法は、検査アルゴリズム、特に画像評価方法を少なくとも有する。検査設備の評価装置が、当該検査アルゴリズム、特に画像評価方法を用いて、検査オブジェクトの検査中に、当該検査設備によって記録された当該検査オブジェクトの画像を評価する。例えば、検査オブジェクトの画像が、検査中に検査設備によって記録され得る。これらの画像は、検査設備の評価装置によって当該検査方法を用いて評価される。したがって、この評価装置は、ソフトウェア技術又は電子工学による適切な画像評価方法から成る検査方法を使用する。
【００２４】
当該記録された画像は、例えば、第１の検査方法にしたがって、検査オブジェクトの欠陥を認識するために、格納された基準画像と比較され得る。さらに、当該記録された画像内の検査オブジェクトの場所又は位置が、第２の検査方法又は第２の検査方法の画像評価方法によって決定又は検査され得る。当該検査方法は、例えば、シガレットパックの上面上の飾り帯の縁部の正確な場所又は正確な位置の検査から成り得る。
【００２５】
したがって、上記の例では、検査設備の適合、すなわちこの例では、検査設備の評価装置の適合が、使用者による１つ又は複数の特徴値の選択に間接に依存する。何故なら、この選択は、最初に、制御装置によって直接に選択されるか又は上記の予めの選択中に表示手段上に表示され得る検査方法の種類に影響するからである。検査オブジェクトの検査工程中に当該検査方法に割り当てられた上記検査アルゴリズムが使用されることによって、（使用者によって又は制御装置によって）最終的に一義的に選択された検査方法が、評価装置の適合に同様に影響する。
【００２６】
本発明の別の構成では、検査設備の制御装置が、検査オブジェクトの後の検査中に当該検査設備によって使用されるパラメータを、自動的に又は使用者によって予め選択された少なくとも１つの検査方法に応じて、当該検査設備用にデータ記憶装置内に格納されたそれぞれのパラメータから選択する。当該パラメータは、例えば、試験設備の、照明装置及び／又は光検出器のための適合パラメータでもよい。この代わりに又はこれに加えて、当該パラメータは、評価装置が、検査オブジェクトの検査中に当該検査オブジェクトによって記録された画像を画像評価するために必要とされる又は使用されるパラメータでもよい。
【００２７】
この代わりに又はこれに加えて、検査オブジェクトの検査中に、照明装置又は評価装置又は光検出器によって使用されなければならない、当該照明装置及び／又は当該評価装置及び／又は当該光検出器用の特定のパラメータが、別の方法で前もって決定されてもよい。したがって、当該決定は、標本検査オブジェクト又は基準検査オブジェクトの特に自動的な補正中に実施される。
【００２８】
このため、使用者は、特に検査オブジェクトの後の検査位置に基準検査オブジェクトを配置する。当該後の検査条件をシミュレートするため、制御装置が、照明装置を、例えば格納された開始パラメータに適合させる。その結果、この照明装置の照明要素が、検査オブジェクトを照らす。例えば、この照明要素の光度が、格納された開始光度に適合され得る。その後に、光検出器、一般にカメラが、こうして照らされた基準検査オブジェクトの少なくとも１つの第１画像を記録する。次いで、当該記録された画像は、評価又は分析される。当該記録された画像が、既定の基準に合致しない場合は、例えば、当該画像が過度に露出されている又は不十分に露出されているときは、制御装置が、照明装置の適合パラメータを変更する。すなわち、この制御装置は、例えば、照明装置の照明要素の光度を変更する。その後に、当該照らされた検査オブジェクトの少なくとも１つのさらなる画像が記録される。このさらなる画像も、当該既定の基準に関して検査される。当該記録されたそれぞれの画像のうちの１つの画像が、既定の基準に合致するまで、この制御装置は、上述したステップを繰り返す。このとき、当該補正工程の終了時に照明装置に適合されているパラメータ、すなわち当該記録された画像のうちの１つの画像が当該既定の基準に合致するパラメータが、後の検査工程用のパラメータとして使用される。当然に、検査設備のその他の装置のパラメータ、例えば、光検出器又はカメラの感度が、この補正工程中に同様に補正されてもよい。
【００２９】
それぞれの画像の条件を満たす、すなわち制御装置が補正工程を終了させる当該既定の基準としては、例えば、画像及び／又は画像の一部及び／又はこの画像のピクセル群若しくは画素群の条件を満たす輝度の限界値又は輝度の目標値が該当する。
【００３０】
本発明の別の構成では、制御装置が、最初に、検査オブジェクトを表示手段上で図によって使用者に表示される。次いで、当該使用者は、検査オブジェクトが検査設備によって検査されなければならない、当該図示された検査オブジェクトの少なくとも１つの領域を入力装置によって選択できる。当該制御装置は、当該選択された領域を表示手段上で光学的に強調する。この領域を選択した結果、当該選択された領域だけが、検査設備によって検査される。例えば、当該使用者は、検査すべき飾り帯の或る特定の検査領域を限定できる。
【００３１】
その後に、当該制御装置は、例えば、検査設備の光検出器及び／又は照明装置をこの領域上に正確に適合できる。この代わりに又はこれに加えて、検査装置によって記録された画像を評価する１つ又は上記評価装置が、当該選択された領域だけを評価することが考えられる。
【００３２】
さらに又はこの代わりに、使用者が、入力装置を用いて、検査オブジェクトの、検査されてはならない領域を除外することが考えられる。このとき、評価装置及び／又は光検出器が、この領域を無視する。
【００３３】
当該本発明によれば、検査設備の適合が、従来の技術で必要な対策に比べて著しく容易になる。好ましくは、使用者にとって、当該検査設備の制御装置は、対話型の制御装置である。特に、検査オブジェクトを特徴付ける特徴を表示することによって、又は、使用者が、具体的に検査すべき検査オブジェクトに対して予め提示された一組の複数の特徴値から、適合する特徴値を選択できることによって、当該検査設備の適合が明らかに簡単になる。
【００３４】
特徴値選択肢及び／又は選択可能な領域に関する情報から成る適切なヘルプ表示、例えば、ヘルプ画像及び／又はヘルプテキストが、表示手段上に表示される場合、当該検査設備の適合は、さらに簡単になる。例えば、使用者が、表示手段上に表示された適切なヘルプ領域を入力装置によって選択するときに、当該情報を表示又は示すことが提唱され得る。
【００３５】
さらに、本発明の課題は、請求項１１に記載の特徴を有する方法によって解決され、請求項２０に記載の特徴を有する設備によって解決される。
【００３６】
当該方法及び設備によれば、当該検査設備の適合のために、特に光学的な観点を特徴とする検査オブジェクトの特徴値が、−一般に、生産の開始前に又は検査の開始前に−使用者によって入力装置を用いてデータ記憶装置内に格納される、例えばコンピュータのハードディスク上等に格納される。この代わりに又は必要に応じてこれに加えて、当該特徴の特徴値が、光電式の検査装置、特にカメラを用いて記録される、基準検査オブジェクト及び／又は当該基準検査オブジェクト用のブランク及び／又は印刷板の少なくとも１つの画像を評価することで、制御装置によって少なくとも部分的に自動的に、特に全自動的に決定される。その後に、当該検査設備が、その制御装置によって自動的に適合される。この場合、使用者によって格納される及び／又は部分的に自動的に若しくは全自動的に検出される当該特徴値が、この適合に影響する。その後に、検査オブジェクトが、こうして適合された検査設備によって検査される。
【００３７】
したがって、本発明のこの実施の形態では、基本的に、１つの特徴に対して表示された一組の複数の特徴値選択肢から特徴値を選択することが省略され得る。しかしながら、この実施に形態は、既に上述された本発明の実施の形態のステップ又はステップの一部に結合されてもよい。
【００３８】
したがって、例えば、制御装置が、検査オブジェクトを特徴付ける特徴に関して格納又は決定された特徴値に応じて、既に上述されている方法で、当該格納された複数の検査方法から、少なくとも１つの適切な検査方法を選択すること、又は、制御装置が、複数の適切な検査方法を当該選択のために使用者に表示し、次いでその使用者が、これらの検査方法から少なくとも１つの適合する方法を選択することが考えられる。
【００３９】
したがって、格納及び／又は決定される特徴値としては、好ましくは、例えば、パックの寸法若しくは折り目の寸法のような検査オブジェクトの構成データ、及び／又は検査オブジェクト用のブランクの構成データが該当する。また、データ、特に、検査オブジェクト及び／又はブランクに配置された画像オブジェクト若しくは英数字に関する寸法及び／又は位置情報も該当し得る。
【００４０】
好ましくは、その後に、制御装置が、使用者によって入力された基準検査オブジェクト用のブランクの構成データから、及び／又は画像オブジェクト／英数字に関するデータから、及び必要に応じて、その他の特徴若しくはデータから、適切なアルゴリズムを用いて、ブランクから折り返し可能な基準検査オブジェクトの、特に空間的に作用する画像−三次元画像−を決定する。
【００４１】
本発明の別の構成では、制御装置又は検査設備の評価装置が、ブランクから折り返し可能な基準検査オブジェクトの決定された画像を、検査オブジェクトを後に検査するときに、基準画像として使用する。この基準画像は、その或る領域ごとに、当該検査オブジェクトの検査中に当該検査設備によって記録された少なくとも１つの画像と比較されるか又は当該検査すべきそれぞれの検査オブジェクトの部分画像と比較される。
【００４２】
特に、補正パラメータが、基準画像の決定で考慮される。検査工程中に検出された検査オブジェクトの画像に対する検査設備の影響が、特に当該補正パラメータで考慮される。この場合、当該影響は、特に、検査設備の光電式の検査装置の光学機器及び／又は当該検査装置の電子機器の影響であり得る。
【００４３】
この代わりに又はこれに加えて、製造された実際の検査オブジェクトと仮想の検査オブジェクトとの予測可能なシステム上の偏差が、基準画像の決定において考慮され得る。例えば、一般に、ブランクから折り返された実際のシガレットパックと、既定のブランクの設計寸法から理論的に計算された「仮想の」シガレットパックとは相違する。すなわち、例えば、折り目線に沿った丸みが、実際の折り返し工程中に発生する。当該丸みは、実際のシガレットパックと、理論的に計算されたパックとの相違を引き起こす。当該システム上の偏差は、基準検査オブジェクトの基準画像の理論的な決定において考慮され得る。
【００４４】
本発明の別の構成では、基準検査オブジェクト上に又は基準検査オブジェクト用のブランク上に配置された画像オブジェクト及び／又は英数字が、特徴付けられた特徴の特徴値の自動的な決定又は部分的に自動的な決定時に認識される。
【００４５】
本発明の別の構成では、基準検査オブジェクト用のブランク上に配置された画像オブジェクト及び／又は英数字のうちの１つ又は幾つかの画像オブジェクト及び／又は英数字が、後続する検査オブジェクトの検査中に実施される当該検査オブジェクトと当該基準検査オブジェクトとの比較時に考慮され得ない又は無視され得る。
【００４６】
好ましくは、後続する検査オブジェクトの検査時に考慮されてはならない領域又は画像オブジェクト／英数字が、使用者によって入力装置を用いて、考慮されないものとして、手動で選択される。しかし、当該領域又は当該画像オブジェクト／英数字の自動的な選択又は部分的に自動的な選択も考えられる。
【００４７】
本発明のその他の特徴は、添付された従属請求項、本発明の好適な実施の形態の以下の説明及び添付図面に記載されている。
【図面の簡単な説明】
【００４８】
【図１】ソフトカートンパック用の包装機の一部を大まかに示す。
【図２】包装機の検査設備の装置の処理の一部を大まかに示す。
【図３】包装機の検査設備の装置のさらなる処理の一部を大まかに示す。
【図４】検査設備の装置のための別の手続きを大まかに示す。
【図５】ヒンジ蓋付きシガレットパックの光学検査を大まかに示す。
【図６】図４による別の手続き中に使用される基準シガレットパック用のブランクを示す。
【発明を実施するための形態】
【００４９】
図１は、シガレットパック１０を製造するための設備の一部を例示的に示す。この設備は、ソフトカートンタイプ又はソフトパックタイプのシガレットパック１０を製造できる。しかしながら、こうして製造可能なシガレットパックは、本発明では重要でない。本発明は、例えば、ヒンジ蓋付きタイプのパック１０を製造するための設備と関連して使用されてもよいものの、カートン包装機、フィルム包装機等に関連して使用されてもよい。ヒンジ蓋付きパックの検査が、図４に示されている。
【００５０】
当該大まかな図は、包装機の一部を示す。この包装機の一部内では、パック１０又はパック１０の細部が、検査設備によって光学的に検査される。この検査設備は、特に電気光学式の検査装置１１を有する、この場合にはＣＣＤカメラを有する。
【００５１】
この場合、パックの上面２９と底面３０との検出が詳しく図示されていないものの、当該検査装置１１は、シガレットパック１０の全ての面を検査する。図１に示された包装機の領域内では、パック１０の接着箇所が定着され得、したがって当該パック１０の正確なフォーマットが安定化されるように、個々のパック１０が、既にほぼ完成されていて、乾燥タレット１２上でさらに長い期間にわたって搬送される。当該パック１０は、この場合にはベルトコンベヤとして形成されている移送装置１３によってこの乾燥タレット１２から離れる。
【００５２】
乾燥タレット１２及び移送装置１３の構成及び機能に関する詳細は、欧州特許第０６０５８３８号明細書から把握され得る。当該詳細は、この欧州特許第０６０５８３８号明細書に全て開示されていて、当該開示内容の全てが、本出願の対象になる。さらに、この文献は、飾り帯１４を供給し、当該飾り帯１４をパック１０に巻き付けることも開示している。
【００５３】
当該パック１０は、転送装置によって、この場合には回転駆動される転送ホイール１６によって、移送装置１３の移送ストランド１５の外面から取り外され、直立したシガレットコンベヤ１７に対して直接に転送される。転送ホイール１６は、欧州特許第０７７０５５１号明細書の詳細な説明に記載されている。シガレットコンベヤ１７は、欧州特許第０５９６３８７号明細書に記載されている。当該詳細は、これらの文献にも全て開示されている。当該開示内容は、本出願の対象になる。
【００５４】
部分的に認識できるように、パック１０を検査するため、パック１０のそれぞれ１つの検査面が、それぞれ１つの検査装置１１に割り当てられている。検査設備の当該それぞれの検査装置１１によって記録される画像が、この検査設備の図示されなかった評価装置によって分析される。一般に、当該分析は、特に、生産されたそれぞれのパックの欠陥を認識するために使用される。したがって、当該欠陥を認識すると、欠陥のあるパックが、生産工程から排除され得る。
【００５５】
当該評価装置は、例えば、同様に図示されなかった制御装置つまり検査設備の制御装置の一部でもよい。特に、個々の検査装置１１が、当該制御装置によって制御され得る。当然に、当該評価装置は、独立した装置でもよい、例えば、検査装置１１によって記録される、パック１０若しくはそれぞれのパック面の画像を評価するための、対応する画像評価ソフトウェア又は分析ソフトウェアを有する従来のコンピュータ装置でもよい。
【００５６】
当該検査設備は、検査すべきパックの種類又はパックのタイプに適合されている。当該パック１０は、パックのタイプに応じて又は生産されたシガレットの銘柄に応じて異なる。したがって、当該パック１０は、様々な飾り帯１４、様々な刷り込み印刷等を有し得る。一般に、様々な材料、色彩、刷り込み印刷、コントラスト等が、当該検査設備を様々に調整することを必要とする。
【００５７】
重要な特徴は、検査設備を生産されるそれぞれの銘柄又は生産されるそれぞれのパックのタイプに適合させるときに、すなわち検査設備を適合させるときに、使用者が、当該検査設備の制御装置によって支援される点にある。
【００５８】
以下に、当該制御装置による支援を図２，３に基づいてパック上面２９とパック１０の底面３０とに関して例示的に説明する。具体的には、以下で説明する方法では、使用者によって実施されるべき、パック１０の特定の特徴に対する特徴値の選択に基づいて、検査設備、特に検査設備の評価装置が、制御装置によって自動的に適合される。当然に、検査設備のその他の装置が、同様に使用者の選択の判断に応じて、制御装置によって自動的に適合されてもよい。
【００５９】
検査設備が、新たに製造すべきパック１０の検査に適合されなければならないときに、最初に、シガレットパックの特徴又は特徴値が、制御装置によって使用者の表示手段又はスクリーン上に表示される。当該シガレットパックの特徴又は特徴値は、それらのシガレットパックを光学的に特徴付け、当該適合つまり検査設備の適合のために重要である。したがって、一組の特徴値選択肢が、各特徴ごとに表示手段上に表示される。当該使用者は、新たに製造すべきであって検査設備によって後に検査するときに検査すべきパック１０に対応する特徴値に一致する特徴値を、当該一組の特徴値選択肢から選択できる。
【００６０】
例えば、図２には、シガレットパックの３つの上面２９ａ〜ｃが図示されている。それぞれ異なる飾り帯の種類１４ａ，１４ｂ，１４ｃが、これらの上面２９ａ〜ｃ上に貼付されている。このとき、当該使用者は、入力装置を用いて、例えばマウスのような、例えば位置指示装置を用いて、図１にしたがって新たに製造すべきパック１０を成す上面２９と飾り帯１４とから成る組み合わせに相当する組み合わせ３１ａ〜ｃを、上面２９ａ〜ｃ及び飾り帯の種類１４ａ〜１４ｃから選択できる。したがって、飾り帯の種類１４ａ〜１４ｃを有する上面２９ａ〜ｃから成る当該３つの異なる組み合わせが、特徴「上面／飾り帯」の特徴値選択肢を構成する。
【００６１】
特徴値選択肢の表示と使用者による選択とを簡単にするため、表示手段が、同時に入力装置として使用されるタッチスクリーンの一部でもよい。
【００６２】
さらに、図２には、シガレットパックの２つの底面３０ａ〜ｂの組み合わせ３２ａ〜ｂが示されている。この場合、各底面３０ａ〜ｂは、別の底折り返し部１８ａ又は１８ｂを有する。当該使用者は、底折り返し部１８ａ，１８ｂを有する底面３０ａ〜ｂの２つの組み合わせ３２ａ〜ｂから、図１に示された新たに製造すべきシガレットパック１０の底面３０に相当する組み合わせを選択できる。したがって、底折り返し部１８ａ，１８ｂを有する底面３０ａ〜ｂから成る当該２つの異なる組み合わせ３２ａ〜ｂは、特徴「底面／底折り返し部」の特徴値選択肢を構成する。
【００６３】
これらの例のほかに、別の複数の特徴がさらに付与されてもよい。これらの別の特徴から選択させるため、制御装置が、使用者に特徴値選択肢を提示する。
【００６４】
特徴値３１ａ〜ｃ，３２ａ〜ｂのうちのいずれの特徴値も、新たに製造すべきパック１０に対応する特徴値に正確に一致しないことも、本発明の範囲内にある。この場合には、当該使用者は、例えば、製造すべきパック１０に最も近い特徴値を選択できる。
【００６５】
パック１０を特徴付けるそれぞれの特徴に対する特徴値３１ａ〜ｃ，３２ａ〜ｂの、使用者による選択は、制御装置による検査設備のその後の適合に影響する。したがって、最初に、当該制御装置は、特徴値の該当する選択に応じて、これらの特徴値のときに使用可能である検査方法を、既定の複数の検査方法から選択する。
【００６６】
図２の例では、上面２９ａと飾り帯１４ａとから成る組み合わせ３１ａ及び底面３０ａと底折り返し部１８ａとから成る組み合わせ３２ａが、使用者によって選択されてある。データ記憶装置内では、検査方法２７ａ〜ｄがそれぞれ、個々の特徴値３１ａ〜ｃに割り当てられていて、検査方法２８ａ〜ｃがそれぞれ、特徴値３２ａ〜ｂに割り当てられている。
【００６７】
当該制御装置は、使用者によって選択された上面２９ａと飾り帯１４ａとから成る組み合わせに基づいて、当該データ記憶装置内に格納された、基本的に上面／飾り帯から成る様々な組み合わせに対して考えられる検査方法２７ａ〜ｄから、選択された組み合わせ３１ａに割り当てられた検査方法２７ｃを選択する。
【００６８】
さらに、当該制御装置は、使用者によって同様に選択された底面３０ａと底折り返し部１８ａとから成る組み合わせに基づいて、当該データ記憶装置内に格納された、基本的に底面／底折り返し部から成る様々な組み合わせに対して考えられる検査方法２８ａ〜ｃから、選択された組み合わせ３２ａに割り当てられた検査方法２８ａを選択する。
【００６９】
特に、様々な画像評価方法又は検査アルゴリズムが、当該検査方法２７ａ〜ｄ又は２８ａ〜ｃに内包されている。パック１０の検査中に記録される画像が、当該方法を使用することで、検査設備の評価装置によって評価され得る。
【００７０】
検査方法２７ｃは、例えば１つの検査アルゴリズムを有する。シガレットパック１０の上面２９上の飾り帯の正確な位置決め及び／又は形成が、後の検査工程中に、適切な画像評価方法と協働する当該検査アルゴリズムを実行することによって検査される。これに対して、検査方法２８ａは、底面３０上の折り返し部１８の正確な位置決め及び／又は形成を、別の適切な画像評価方法と協働して検査する検査アルゴリズムを有し得る。
【００７１】
さらに、当該制御装置による検査方法２７ｃ又は検査方法２８ａの選択は、例えば、検査方法２７ｃ又は２８ａにそれぞれ割り当てられたフィルタアルゴリズム（例えば、ソーベルフィルタ、グレーモーフィングフィルタ）を必要とする。当該それぞれのフィルタアルゴリズムは、シガレットパック１０の後の検査中に記録されるパック上面２９又はパック底面３０の画像の電子式画像認識又は画像評価時に、評価装置によって適切に使用される。
【００７２】
したがって、当該検査方法２７ｃ又は２８ａは、最適な評価結果を得るために検査すべきそれぞれの検査オブジェクトに適合されている、図２の場合には上面２９と飾り帯１４とから成る検査オブジェクト又は底面３０と折り返し部１８とから成る検査オブジェクトに適合されている。
【００７３】
当該シガレットパック１０の検査すべき飾り帯１４は、例えば、模様を暗いブランク又は背景上に有する飾り帯の種類である。パック１０の検査すべき上面２９は、例えば、高い反射特性を有する暗い銀紙から成る。
【００７４】
例えば、明るい飾り帯が、暗くて反射しない上面上に配置される、別の配置、すなわち使用者による特徴値３１ａ〜ｄからの別の選択は、最適な評価結果を得ることができるようにするために、例えば、検査方法２７ｃを使用する代わりに、割り当てられた別のフィルタを有する検査方法２７ｄを使用することが必要になる。
【００７５】
さらに、使用者が、入力装置を使用することによって、自動評価中に、検査設備によって検査されない方がいい、パック１０の検出困難な特定の領域だけを適切に省略できることが提唱されている。換言すれば、当該例では、パック１０のそれぞれの上面２９及び底面３０の全てが検査されるのではなくて、当該上面２９及び底面３０の一部だけが検査される。
【００７６】
図２，３の例では、使用者は、飾り帯１４ａの模様を省略している。当該省略された領域は、表示手段上に光学的に強調されている、この例では点線１９によって強調されている。当該省略された領域は、シガレットパック１０の後の検査中の画像評価時に評価装置によって考慮されない。
【００７７】
同様な方法で、使用者は、検査オブジェクトが検査されなければならない特定の領域をより正確に特定できる。例えば、組み合わせ３２ａの選択された底折り返し部１８ａでは、当該使用者は、特に検査されなければならないこの折り返し部１８ａの領域を選択できる。当該選択された領域は、表示手段上に同様に光学的に強調される、この例では点線２０によって強調される。当該評価装置は、シガレットパック１０の後の検査中の画像評価時にこの領域だけを考慮又は評価する。
【００７８】
さらに、特徴値選択肢及び／又は選択可能な領域に関する通知項目から成るヘルプ表示が、使用者に提示されることが提唱され得る。この例では、自動的に、又は使用者による要求に応じて、例えば、使用者が、位置指示装置を用いて１つのヘルプ領域をクリックすることによって、２つのヘルプ表示２１ａ及び２１ｂが、飾り帯１４ａの省略可能な領域に対して表示される。したがって、ヘルプ表示２１ａは、飾り帯１４ａの模様を省略することは得策でないことを使用者に通知するために使用される。ヘルプ表示２１ｂは、当該模様が適切に省略されなければならないことを示す。
【００７９】
同様に、底折り返し部１８ａの選択可能な領域に対しては、ヘルプ表示２１ｃ，２１ｄが、使用者に表示される。
【００８０】
図２のボックス３４ａ〜ｄによって示されている本発明の別の重要な観点によれば、検査装置つまりカメラ１１によってパック面の画像を記録するときに、可能な限り大きいコントラストを異なる画像成分間で得るため、検査すべきパックを後の検査工程中に照らす照明装置２６のパラメータが、標本パック又はテストパックの独立した補正工程中に自動的に決定される。このため、使用者が、基準パックつまり標本パックを、シガレットパック１０の別々の検査位置ごとに、すなわち図１の検査位置ごとに配置する。次いで、当該個々の検査条件をシミュレートするため、検査設備の制御装置が、図１に示されなかった照明装置２６を格納された開始パラメータに適合させる。その結果、当該照明装置２６の照明要素が、シガレットパックに対応するパック面を照らす、特に図２に示された、飾り帯１４ａを有する上面２９ａと底折り返し部２８ａを有する底側３２ａとを照らす。
【００８１】
したがって、最初に、それぞれの照明装置２６のそれぞれの照明要素の光度がそれぞれ、格納された開始光度に適合され得る。引き続き、当該それぞれのカメラ１１は、こうして照らされたそれぞれのパック面の少なくとも１つの画像を記録する。次いで、当該記録された画像は、評価装置によって評価又は分析される。
【００８２】
当該記録された画像が、既定の基準に合致しない場合は、当該既定の基準が満たされるまで、制御装置が、照明装置１６のそれぞれの照明要素の適合されたパラメータを変える、この例では光度を変える。
【００８３】
図２の例では、記録されている画像中の、飾り帯１４ａを有する上面２９ａの補正時に最適な結果を得るため、当該画像の評価中に、照らされた画素のうちの大部分が、当該記録されている画像の全ての画素で使用され得ることが、ボックス３４ａと付設されたボックス３３ａとによって表されている。さらに、当該補正工程中に、この配置において最適な結果を得るため、飾り帯１４ａを有する全ての上面２９ａが評価される（点線３５参照）。
【００８４】
上記の全ての領域３５を補正する理由は、選択された、銀紙の上面２９ａと暗い飾り帯１４ａとから成る組み合わせ３１ａのときに、当該銀紙の上面の干渉反射が大きい点にある。照らされた複数の画素の大部分を使用する理由は、暗い飾り帯１４ａと暗い上面２９ａとの間に固有の低いコントラストの当該配置での画像評価中に、例えば、ほぼ同様に暗い飾り帯１４ａと上面２９ａとの間の境界移行部分を認識するために、光度を可能な限り強くする必要がある点にある。
【００８５】
記録されている画像の複数の画素のうちの所定の割合の画素が、既定の輝度を有するまで、制御装置が、照明装置２６のそれぞれの照明要素の光度を補正中に変える。
【００８６】
高い固有コントラストが、飾り帯と上面との間に付与されている、ボックス３４ｂによって表された別の配置では、例えば、明るい飾り帯が、暗い上面上にあるときには、記録されている画像中の複数の画素のうちの、少ない方の割合の画素が、配置３４ａに比べて低い所定の輝度を有するまで、照射強度が、補正工程中に変更される。換言すれば、ボックス３４ａによる配置では、ボックス３４ｂによる配置のときよりも弱く照らされる、記録されている画像中の画素が使用される。さらに、ボックス３４ｂによる配置では、上面の全体の補正を省略すること、実質的に飾り帯だけを補正することが考えられる。
【００８７】
当該補正工程の終了時に適合されている、すなわちその都度記録されている画像の要件を満たす必要のある既定の基準に達したときの、照明装置２６の実際の光度と、必要に応じてその他のパラメータとが、この照明装置２６の適合パラメータとしてパック１０の上面の後の検査工程のために使用される。当然に、同様な方法で、検査設備のその他のパラメータ、例えば、それぞれのカメラ１１の感度が、この補正工程中に決定されてもよい。
【００８８】
同様に、底折り返し部１８ａを有する底面３０ａを照らすための照明パラメータが、別の補正工程中に決定される、つまり底面３０ａと底折り返し部１８ａとの間の固有コントラストに応じて決定される（ボックス３４ｃ，ｄ）。
【００８９】
図４〜６は、本発明の別の実施の形態を示す。当該実施の形態は、ヒンジ蓋付きタイプのパック１０の製造及び検査に関する。当該パック１０は、ブランクから折り返されるか又は製造される。
【００９０】
上記の図１，２の実施の形態と違って、検査設備を新たに生産すべきパック１０に適合させるときに、当該パックを表す特徴の特徴値のリストが、使用者に表示されない。当該工程を以下に記す。
【００９１】
別の実施の形態の第１の構成によれば、使用者が、入力装置を用いてパック１０の特徴値を検査設備の制御装置に割り当てられたデータ記憶装置内に格納する（図３のステップＡ１）。当該データ記憶装置は、主として、例えばハードディスクである。その他の全ての公知のデータ記憶装置も、当然に考えられる。特徴値が書き込まれるデータバンクソフトウェアが、当該データ記憶装置に存在する。
【００９２】
例えば、パック１０用の標本ブランク又は基準ブランク２２の構成データが、特徴値として格納され得る。当該構成データは、ブランク２２の寸法、ブランク２２の個々の折り返し線の位置及び長さ、個々の折り返しフラップの大きさ及び／又は形等を示し得る。使用者は、これらの構成データを基準ブランクつまり標本ブランク２２から取得できる。
【００９３】
当該構成データのほかに、使用者は、さらなるデータ、特にブランク２２又は後のパック１０上に配置された画像オブジェクト２３ａ，２３ｂ，２３ｃ，２３ｄ，２３ｅに関するデータを格納できる。当該画像オブジェクト２３ａ〜ｅに関するこれらのデータは、特に、画像オブジェクトの種類、形、色、位置及び／又は大きさ等を含む。
【００９４】
したがって、最初に、使用者が、入力装置を用いて、データ記憶装置内に既に格納された様々な画像データから、標本ブランク２２に一致する画像オブジェクト２３ａ〜ｅを選択することが考えられる。この代わりに、特に画像オブジェクト２３ａ〜ｅだけが、データベースとして格納されてもよく、又は、提供される一組の画像オブジェクトから適正な画像オブジェクト２３ａ〜ｅを選択することが省略されるように、当該画像オブジェクト２３ａ〜ｅだけが、検査設備を新たに生産すべきパック１０に適合させるために直接に格納されてもよい。
【００９５】
したがって、例えば、標本ブランクが走査されることによって、つまり個々の画像オブジェクトを有するこの標本ブランクの領域が走査されることによって、画像オブジェクト２３ａ〜ｅが、データ記憶装置内に格納され得る。次いで、これらの画像オブジェクトの個々の画像データベースがそれぞれ、当該走査された画像データから生成される。
【００９６】
次いで、格納された画像オブジェクト２３ａ〜ｅが、（実際の）標本ブランク２２上に配置されているのと同様に、当該使用者は、予め格納されたパック１０に関する構成データ又は標本ブランク２２の構成データから計算されてスクリーン上に表示された当該ブランク２２の（仮想の）画像２２ａ（図６）上に、格納された画像オブジェクト２３ａ〜ｅを配置できる。この代わりに、使用者が、入力装置を用いて格納した位置情報に基づいて、画像オブジェクト２３ａ〜ｅを標本ブランク２２の画像２２ａ上に配置することも当然に可能である。
【００９７】
さらに、パック１０上に設置すべき飾り帯の画像２３ｆが、画像データベースとして別に格納され、仮想のブランク２２ａ上に配置されてもよい。
【００９８】
その結果、実際の標本ブランク２２又は生産すべきパック１０に関する画像オブジェクトを含む全ての情報又はデータが、データ記憶装置内に格納される。当該情報又はデータは、特に適切なソフトウェアによって、ブランク２２から折り返し可能なパック１０の画像２２ａを計算できるようにするために必要である。
【００９９】
別の実施の形態の第２の構成によれば、すなわち上記構成データと、ブランク２２をさらに特徴付ける特徴データとを使用者によって手動で格納する代わりに、これらのデータを制御装置によって自動的に又は少なくとも一部を自動的に決定可能にすることが提唱されている。
【０１００】
このため、最初に、生産すべきパック１０の実際の基準ブランク２２が、適切な記録要素２５によって、一般にカメラによって記録される。換言すれば、実際の基準ブランク又は標本ブランク２２の画像２２ａが、自動的に生成され（図４のステップＡ２）、制御設備のデータ記憶装置内に格納される。
【０１０１】
ほぼ全自動的な実施の形態では、上記第１の構成において使用者によって手動で入力された全ての構成データ及び全てのさらなるデータ（画像オブジェクト等）が、一般に制御装置の一部である評価装置（例えば、コンピュータ装置）を使用することで、適切に分析することによって、カメラを通じて記録された画像２２ａから決定される、又は当該画像２２ａから取り出される。標本ブランク２２の画像の当該分析のために必要な評価装置のソフトウェアが、当該従来の技術の専門家によって容易に提供され得る。
【０１０２】
したがって、画像２２ａ上に配置された個々の画像オブジェクトを、この画像２２ａの上記分析中に認識するため、この場合には画像オブジェクト２３ａ，２３ｂ，２３ｃの上記分析中に認識するため、使用者が、標本ブランク２２の画像２２ａの個々の領域２５ａ，２５ｃを選択することが考えられる。
【０１０３】
さらに、シガレットパック１０上に配置されなければならない、例えば飾り帯２３ｆのような印刷基板を、同様に記録要素２５によって記録すること、この記録要素２５の画像を格納すること、必要に応じて必要なデータを得ること、場合によってはブランクの画像を当該ブランク２２の画像２２ａの特定の位置に配置することが考えられる。
【０１０４】
この代わりに、当該画像２３ｆをブランク２２の仮想の画像２２ａに配置することは、使用者によって手動で実施されてもよい。
【０１０５】
ブランク２２の、全ての構成データ、グラフィックス、必要に応じて英数字等が、格納されている場合（選択肢１）、又は、全てのデータが、記録されたブランク２２の、カメラ２５を用いて記録された画像２２ａから自動的に取り出された場合（選択肢２）、評価装置が、これらのデータから得られる仮想のシガレットパック１０の画像２４ａを計算する（図４のステップＢ，Ｃ，Ｄ）。したがって、好ましくは、シガレットパック１０の（仮想の）三次元画像が生成される。換言すれば、ブランク２２から折り返し可能であるパック１０の画像２４ａが生成される。
【０１０６】
引き続き、以下でさらに詳しく説明するように、基準画像２４ｂが、当該三次元画像２４ａから生成される（ステップＥ）。この基準画像２４ｂは、後の生産工程中に実際に製造されたシガレットパック１０を検査するときに、比較画像として使用される。したがって、当該基準画像２４ｂ又は必要に応じてこの基準画像２４ｂの一部が、検査設備又は検査装置１１によって記録される実際に生産されたシガレットパック１０の画像と比較される。次いで、当該記録された画像と基準画像２４ｂとの偏差が検出され、当該生産されたシガレットパック１０の欠陥が、公知の方法で発見され得る。
【０１０７】
一方では、例えば、実際に生産されたパック１０の、検査設備によって記録された画像に対するこの検査設備の影響を考慮する補正パラメータが、基準画像２４ｂを決定するときに考慮される。すなわち、一般に、検査設備の検査装置１１は、光学収差を有する、又は当該光学収差を発生させる。当該光学収差は、基準画像２４ｂに算入され得る。その結果、基準画像２４ｂを実際に生産されたパック１０と比較するときに、当該光学収差は、自動的に排除される。
【０１０８】
検査装置１１の電子部品も、誤差を発生し得る。当該誤差は、実際のものと比較して歪んだ画像を生成する。
【０１０９】
検査すべきそれぞれのパックの、検査設備によって記録される画像に対するこの検査設備の影響を考慮する当該補正パラメータのほかに、実際に生産されたシガレットパック１０と、上記の方法で計算されたシガレットパック１０の（仮想の）画像２４ａとの予測可能なシステム上の偏差が、別に又は追加的に考慮され得る。
【０１１０】
例えば、実際の生産中の折り返し線に沿ったブランク２２の折り返し部は、一般に理論的に計算された折り返し部から外れている。すなわち、実際の折り返し部は、例えば丸みを帯びている。当該丸みは、基準画像２４ｂの決定時に一緒に算入される。
【０１１１】
また、上記の標本ブランク２２に対してデータを手動で入力する場合と、上記の標本ブランク２２を自動的に記録する場合との双方において、生産されたパック１０を後に検査するときに、非常に複雑な個々の画像オブジェクト２３ｅ，２３ｄを無視することが可能である。このため、当該画像オブジェクト２３ｅ，２３ｄは、さらなる検査時に無視すべきものとして自動的に認識され得る。しかし、使用者が、スクリーンで当該画像オブジェクト２３ｅ，２３ｄを手動で選択し、これらの画像オブジェクト２３ｄ，２３ｅをこの手動の選択に基づいて無視することも考えられる。
【符号の説明】
【０１１２】
１０        パック
１１        ＣＣＤカメラ
１２        乾燥タレット
１３        転送装置
１４        飾り帯
１４ａ      飾り帯の種類
１４ｂ      飾り帯の種類
１４ｃ      飾り帯の種類
１５        移送ストランド
１６        転送ホイール
１７        シガレットコンベヤ
１８        底折り返し部
１８ａ      底折り返し部
１８ｂ      底折り返し部
１９        点線
２０        点線
２１ａ      選択肢
２１ｂ      選択肢
２１ｃ      ヘルプ表示
２１ｄ      ヘルプ表示
２２        標本ブランク
２２ａ      標本ブランクの画像
２３ａ      画像オブジェクト
２３ｂ      画像オブジェクト
２３ｃ      画像オブジェクト
２３ｄ      画像オブジェクト
２３ｅ      画像オブジェクト
２３ｆ      飾り帯の画像
２４ａ      三次元画像
２４ｂ      基準画像
２５        記録要素
２５ａ−ｃ  画像領域
２６        照明装置
２７ａ−ｄ  検査方法  パック上面
２８ａ−ｃ  検査方法  パック底面
２９        上面
２９ａ−ｃ  上面
３０        底面
３０ａ−ｂ  底面
３１ａ−ｃ  組み合わせ  上面／底面
３２ａ−ｂ  組み合わせ  底面／折り返し部
３３ａ−ｄ  ボックス
３４ａ−ｄ  ボックス
３５        点線
【図１】
2014527626.tif 000003
【図２】
2014527626.tif 000004
【図３】
2014527626.tif 000005
【図４】
2014527626.tif 000006
【図５】
2014527626.tif 000007
【図６】
2014527626.tif 000008
【国際調査報告】
2014527626.tif 000009
2014527626.tif 000010
2014527626.tif 000011
2014527626.tif 000012
2014527626.tif 000013
2014527626.tif 000014